(57)【特許請求の範囲】
【請求項１】
ジャカード筬を備える経編機により編成され、ジャカード筬により導糸されジャカード柄を編成するジャカード糸が編目を形成する経編地において、第１の地筬により導糸される非弾性糸が鎖編組織を形成し、前記経編地の一部に、地組織の編目形成組織としては前記鎖編組織のみで編成した鎖編部を設け、少なくとも前記第１の地筬とは別の地筬により導糸される糸にて、前記鎖編組織とは異なる組織で編成した別組織部を前記経編地の一部に設け、前記鎖編部と前記別組織部を前記経編地緯方向に並設することを特徴とする経編地。
【請求項２】
前記鎖編部と前記別組織部の地糸及び／又は前記ジャカード糸を、異色または異種素材として異ならせてなる請求項１に記載の経編地。
【請求項３】
前記鎖編部にて、鎖編組織を形成する糸を必要に応じて糸抜きし、前記鎖編部のネット目を大きくしてなる請求項１又は２に記載の経編地。
【請求項４】
弾性糸が、前記経編地に挿入及び／又は編目形成されてなる請求項１〜３のいずれか１項に記載の経編地。
【請求項５】
前記別組織部の地組織が、パワーネット組織である請求項１〜４のいずれかに記載の経編地。
【請求項６】
前記別組織部の地組織が、サテン調の組織である請求項１〜４のいずれかに記載の経編地。
【請求項７】
前記別組織部の地組織が、デンビ組織である請求項１〜４のいずれかに記載の経編地。
【発明の詳細な説明】
【技術分野】
【０００１】
本発明は、主に女性用下着やアウター等の各種衣料に使用され、ジャカード筬を備える経編機により編成されてなる経編地、特には経編地の一部が鎖編組織である地編組織からなり、その他の部分が鎖編以外の組織である地編組織からなる経編地に関するものである。
【背景技術】
【０００２】
ジャカード筬により導糸されるジャカード糸が編目を形成しジャカード柄を作り、該ジャカード柄によってのみ柄を表現する経編地がある。このような経編地は、ジャカード筬以外に、地編組織を形成する地筬があり、少なくとも1枚の地筬は編目を形成する。更に、経編地に伸縮性を付与するために、編目を形成する地筬とは別の地筬にて、弾性糸を編み込む場合もある。このような経編地の地編組織は、経編地全体で同じあり、ネット目を含めた柄の変化は、ジャカード筬によってのみ行われてきた。すなわち、図１４に示すように、同じような地編組織目の中にジャカード柄が表現されている経編地が一般的である。すなわち、地編組織を形成する組織のうち、編目を形成する地筬による組織は1種類である。
【０００３】
このような、ジャカード糸が編目を形成しジャカード柄によってのみ柄を表現する経編地ではなく、ジャカード糸が挿入組織であり柄筬により導糸される柄糸とジャカード糸によって柄を表現する経編地において、地編組織を異ならせた経編地は提案されている。
【０００４】
特許文献１には、鎖編・乱（ラン）止め組織のレース部と、シングル編み組織または二重編み組織の生地部を一体に並設した経編地の製造方法が開示されている。しかし、この製造方法による経編地は、鎖編組織がほつれるのを防ぐ目的でレース部が鎖編・乱（ラン）止め組織となっているため、地編組織を形成する地糸が、一定コース間でウエール間を横渡りするようになり、きれいなネット目が出にくいものである。
【０００５】
また、特許文献２には、基準組織と異なる振り糸の編成組織で形成された模様編地部分を有する経編地が開示されている。この模様編地部分の挿入糸である振り糸の編成組織は、ジャカード機構を作動して基準組織と異ならしているものであるため、基準組織部分との違いが少なく、柄の表現性が乏しく感じられる。
【特許文献１】特開２０００−２３４２４７号公報
【特許文献２】特開２００１−１９２９５２号公報
【発明の開示】
【発明が解決しようとする課題】
【０００６】
本発明は、上記に鑑みてなしたものであり、ジャカード筬により導糸されるジャカード糸にてジャカード柄を作る経編地において、ジャカード筬が編目を形成することで編目を形成する地筬と編目が重り、ほつれを防止できる。したがってラン止め組織とする必要がなく、横渡りの無い鎖編組織によりきれいなネット目を作り、鎖編組織以外の組織も編地緯方向に並べて設けることにより、多彩なデザイン表現を提供するものである。
【０００７】
なお、本発明の経編地は、ジャカード糸によるジャカード柄によってのみ柄を表現したものであり、柄糸によって柄を表したものではないが、例えば、経編地端部につなぎ用の糸を配すなど、地糸やジャカード糸以外の糸を使用しても良い。
【課題を解決するための手段】
【０００８】
上記の課題を解決する本発明の経編地は、ジャカード筬を備える経編機により編成され、ジャカード筬により導糸されジャカード柄を編成する糸が編目を形成する経編地において、第１の地筬により導糸される非弾性糸が鎖編組織を形成し、前記経編地の一部に、地組織の編目形成組織としては前記鎖編組織のみで編成した鎖編部を設け、少なくとも前記第１の地筬とは別の地筬により導糸される糸にて、前記鎖編組織とは異なる組織で編成した別組織部を前記経編地の一部に設け、前記鎖編部と前記別組織部を前記経編地緯方向に並設することを特徴とする。
【０００９】
本発明の経編地において、前記鎖編部と前記別組織部の地糸及び／又はジャカード糸を、異色または異種素材として異ならせてなるものとする。この場合の地糸とは、地組織の編目形成組織を形成する目的で地筬により導糸される糸のことである。
【００１０】
本発明の経編地において、前記鎖編部にて、鎖編組織を形成する糸を必要に応じて糸抜きし、前記鎖編部のネット目を大きくしてなるものとすることができる。
【００１１】
本発明の経編地において、弾性糸が前記経編地に挿入及び／叉は編目形成されてなるとすることができる。
【００１２】
さらに、本発明の経編地において、前記別組織部の地組織をパワーネット組織とすることができる。あるいは、前記別組織部の地組織をサテン調の組織とすることができる。あるいは、前記別組織部の地組織をデンビ組織とすることができる。
【発明の効果】
【００１３】
上記したように本発明の経編地によれば、地組織としては鎖編組織のみで編成した鎖編部と、該鎖編組織とは異なる組織で編成した別組織部を経編地緯方向に並設することにより、きれいなネット目を有するデザイン性に優れたものとすることができる。
【発明を実施するための最良の形態】
【００１４】
次に、本発明の実施の形態を図面に示す実施例に基づいて説明するが、本発明は、実施例のものには限定されることはなく、特許請求範囲を逸脱しない範囲において種々の実施が可能である。
【００１５】
図１は、本発明の第１実施例の経編地を示す平面図である。図２は、同上の経編地の鎖編部と別組織部のラッピング状態を示す組織図である。図３は、本発明の経編地の各実施例における各糸のラッピング状態を示す組織図である。
【００１６】
この実施例の経編地Ａには、鎖編部１にネット目２が設けられ、別組織部３にジャカード柄４が設けられている。鎖編部１には、第１の地筬により導糸される非弾性糸５にて、ラン止め組織ではない鎖編組織（図３（ａ））が形成され、更にジャカード筬により導糸される非弾性糸のジャカード糸６にて、ネット目２が形成される。ネット目の大きさは、ジャカード糸が横渡りしない穴地組織をどれだけ連続させるか、あるいは、経編地をどれだけ引っ張って加工仕上げを行うか等により任意の大きさにできる。
【００１７】
別組織部３には、第１の地筬とは別の第２、第３の地筬によりそれぞれ導糸される非弾性糸７、非弾性糸８にて、パワーネット組織（図３（ｂ））が形成される。更にジャカード糸６にて、ジャカード柄４が形成される。なお、図２の別組織部３は、ジャカード糸６がウエール間を横渡りすることなく穴地組織を作り、プレーンなパワーネット組織を形成する箇所の組織図である。また、この実施例では、弾性糸は全ウエールに沿って挿入（図３（ｇ））されているが、図２では、組織図を見易くするために弾性糸を表していない。
【００１８】
図４は、本発明の第２実施例の経編地における、鎖編部と別組織部のラッピング状態を示す組織図である。
【００１９】
この実施例の経編地Ａには、鎖編部１にネット目が設けられ、別組織部３及び別組織部９にジャカード柄が設けられている。鎖編部１には、第１の地筬により導糸される非弾性糸５にて、ラン止め組織ではない鎖編組織（図３（ａ））が形成され、更にジャカード筬により導糸される非弾性糸のジャカード糸にて、ネット目が形成される。
【００２０】
別組織部３には、第１の地筬とは別の第２、第３の地筬によりそれぞれ導糸される非弾性糸７、非弾性糸８にて、パワーネット組織（図３（ｂ））が形成される。別組織部９には、非弾性糸８にてサテン調の組織（図（ｃ））が形成される。更にジャカード糸にて、ジャカード柄が別組織部３、別組織部９に形成される。なお、図３では、組織図を見易くするためにジャカード糸を表していないが、鎖編部１と別組織部３のジャカード糸の組織は、基本的に図２と同じであり、別組織部９においては、別組織部３と同様なジャカード糸の組織である。また、この実施例は、上記３枚の筬のみで編成されており、弾性糸を挿入していない。
【００２１】
図５は、本発明の第３実施例の経編地を示す平面図である。この実施例の経編地Ａは、本発明の第１実施例と同様な編組織である。
【００２２】
本発明の第３実施例と第１実施例は、各糸による組織は同じである。すなわち、鎖編部１にネット目２が設けられ、別組織部３にジャカード柄４が設けられている。鎖編部１には、第１の地筬により導糸される非弾性糸５にて、ラン止め組織ではない鎖編組織（図３（ａ））が形成され、更にジャカード筬により導糸される非弾性糸のジャカード糸６にて、ネット目２が形成される。別組織部３には、第１の地筬とは別の第２、第３の地筬によりそれぞれ導糸される非弾性糸７、非弾性糸８にて、パワーネット組織（図３（ｂ））が形成される。更にジャカード糸６にて、ジャカード柄４が形成される。また、弾性糸１０は全ウエールに沿って挿入（図３（ｇ））されている。
【００２３】
本発明の第３実施例と第１実施例との違いは、第３実施例の方は、鎖編部１に配されるジャカード糸６と別組織部３に配されるジャカード糸６を異なる種類の糸とすることで、鎖編部１と別組織部３とを染色加工後に色を変えている点である。なお、この実施例では、ジャカード糸の種類を異ならせたが、同じ種類の糸であっても異なる色の先染め糸で色の変化を出しても良い。また、ジャカード糸を異ならせるのではなく、鎖編組織を形成する非弾性糸５とパワーネット組織を形成する非弾性糸７及び非弾性糸８とを異ならせても良く、更に両方の糸を異ならせて色を変えても良い。
【００２４】
図６は、本発明の第４実施例の経編地を示す平面図である。図７は、同上の経編地の鎖編部と別組織部のラッピング状態を示す組織図である。
【００２５】
この実施例の経編地Ａには、鎖編部１にネット目２が設けられ、別組織部９にジャカード柄４が設けられ、別組織部９ａにネット目２ａが設けられている。鎖編部１には、第１の地筬により導糸される非弾性糸５にて、ラン止め組織ではない鎖編組織（図３（ａ））が形成され、更にジャカード筬により導糸される非弾性糸のジャカード糸６にて、ネット目２が形成される。
【００２６】
別組織部９には、第１の地筬とは別の第２の地筬により導糸される非弾性糸８にて、ネット目がほとんど無いサテン調の組織（図３（ｃ））が形成される。更にジャカード糸６にて、ジャカード柄４が形成される。別組織部９ａには、別組織部９と同様に非弾性糸８にてサテン調の組織が形成され、ジャカード糸６にて鎖編部１と同じ組織を作りネット目２ａが形成される。なお、図７の別組織部９は、ジャカード糸６がウエール間を横渡りする薄地組織を作り、プレーンなサテン調の組織を形成する箇所の組織図である。また、この実施例での弾性糸は、全ウエールに沿って挿入（図３（ｇ））されており、更に別組織部９では横振り挿入（図３（ｈ））もされているが、図７では、組織図を見易くするために弾性糸を表していない。
【００２７】
図８は、本発明の第５実施例の経編地を示す平面図である。図９は、同上の経編地の鎖編部と別組織部のラッピング状態を示す組織図である。
【００２８】
この実施例の経編地Ａには、鎖編部１にネット目２が設けられ、別組織部３にジャカード柄４が設けられている。鎖編部１では、第１の地筬により導糸される非弾性糸５が、ラン止め組織ではない鎖編組織を形成し１本おきに糸を抜いて１イン１アウトで編成される。更に、ジャカード糸６も非弾性糸５と同様に１本おきに糸を抜いて１イン１アウトで編成される。ジャカード糸６が、非弾性糸５が配されないウエールにて編目を形成する場合は、前後のコースに編目形成糸が無いためループドロップとなり、他の実施例より大きなネット目２が形成される。点線で示す編目形成部６ａがループドロップとなる箇所であり、ループドロップにより糸が編み込まれない部分６ｂができる。３箇所のみループドロップする編目形成部６ａを示したが、編み込まれない部分６ｂのある箇所は全てループドロップしている。
【００２９】
別組織部３には、第１の地筬とは別の第２の地筬によりそれぞれ導糸される非弾性糸７、非弾性糸８にて、パワーネット組織（図３（ｂ））が形成される。更にジャカード糸６にて、ジャカード柄４が形成される。なお、図９の別組織部３は、ジャカード糸６がウエール間を横渡りすることなく穴地組織を作り、プレーンなパワーネット組織を形成する箇所の組織図である。また、この実施例では、弾性糸は、非弾性糸５、非弾性糸７及び非弾性糸８が配されるウエールに沿って挿入（図３（ｇ））されているが、図９では、組織図を見易くするために弾性糸を表していない。
【００３０】
本発明の第６実施例の経編地には、鎖編部にネット目が設けられ、別組織部３にジャカード柄が設けられている。鎖編部には、第１の地筬により導糸される非弾性糸にて、ラン止め組織ではない鎖編組織（図３（ａ））が形成され、更にジャカード筬により導糸される非弾性糸のジャカード糸にて、ネット目が形成される。別組織部には、第１の地筬とは別の第２の地筬により導糸される非弾性糸にて、デンビ組織（図３（ｄ））が形成される。更にジャカード糸にて、ジャカード柄が形成される。
【００３１】
これら実施例においては、経編機としてはカールマイヤー社製ラッシェル機（ＲＳＪ５／１、２８ゲージ）を用いた。非弾性糸５、７、８及びジャカード糸６としては、繊度３３ｄｔｅｘのナイロン糸を、弾性糸１０としては、繊度１５６ｄｔｅｘのポリウレタン糸を使用したが、もちろん、用途により、前記以外の繊度の糸を用いることができ、糸種を変更することもできる。また、ジャカード筬の基本となる組織をデンビ組織（図３（ｄ））で編成したが、この組織に限定されることは無く、例えば、チュール組織（図３（ｅ））、あるいはプレーンコード組織（図３（ｆ））を基本とするなど任意に設定できる。更に、弾性糸は、挿入組織に限定されず編目を形成しても良い。
【００３２】
図１０は、図５で示した第３実施例の経編地Ａを、編方向を横向きにして構成した衣料品の１例としてのブラジャーを示しており、カップ土台部１１からバック部１２にかけて経編地Ａを使用している。
【００３３】
図１１は、本発明の別の実施例である経編地Ａを、編方向を斜め向きにして構成した衣料品の１例としてのショーツを示しており、前身頃部及び股部を除く、腰脇部１３から後身頃部１４にかけて経編地Ａを使用している。
【００３４】
図１２は、本発明の別の実施例である幅の広い経編地Ａを、編方向を横向きにして構成した衣料品の１例としてのキャミソールを示しており、肩ひもを除く胸部１５と胴部１６全体に経編地Ａを使用している。
【００３５】
図１３は、本発明の別の実施例である経編地Ａを、一部は編方向を横向きにし、一部は編方向を縦向きにして構成した衣料品の１例としてのワンピースを示しており、肩ひもを除く、編方向が横向きとなる胸部１５と編方向が縦向きとなる胴部１６にそれぞれ経編地Aを使用している。胴部１６の経編地Ａは、他の実施例と違い、鎖編部１の面積が別組織部３の面積より広くなっている。本発明では、鎖編部と別組織部の面積比はどちらが広くても良く、同じであっても良い。  なお、このワンピースは、胸部１５の下のリボン１７のところで胸部と胴部を縫製して一体としている。
【００３６】
図１０〜図１３に示したように、本発明により、別の細幅レースを数枚つなげたような装飾効果を得ることができ、今までに無いデザイン表現が可能となる。
【産業上の利用可能性】
【００３７】
本発明は、ブラジャー、ショーツ、キャミソール等の女性用下着を始めとする各種衣料に好適に利用できる。
【図面の簡単な説明】
【００３８】
【図１】本発明の経編地の１実施例を示す平面図である。
【図２】同上の経編地のラッピング状態を示す組織図である。
【図３】本発明の経編地の各実施例のラッピング状態を示す組織図である。
【図４】本発明の経編地の他の実施例のラッピング状態を示す組織図である。
【図５】本発明の経編地のさらに他の実施例を示す平面図である。
【図６】本発明の経編地のさらに他の実施例を示す平面図である。
【図７】同上の経編地のラッピング状態を示す平面図である。
【図８】本発明の経編地のさらに他の実施例を示す平面図である。
【図９】同上の経編地のラッピング状態を示す平面図である。
【図１０】本発明の経編地のブラジャーでの使用例を示す略示斜視図である。
【図１１】本発明の経編地のショーツでの使用例を示す略示斜視図である。
【図１２】本発明の経編地のキャミソールでの使用例を示す略示斜視図である。
【図１３】本発明の経編地のワンピースでの使用例を示す略示斜視図である。
【図１４】従来の技術に基づく経編地を示す平面図である。
【符号の説明】
【００３９】
Ａ…経編地、１…鎖編部、２…ネット目、３…別組織部、４…ジャカード柄、５…非弾性糸、６…ジャカード糸、６ａ…編目形成部、６ｂ…編み込まれない部分、７…非弾性糸、８…非弾性糸、９…別組織部、１０…弾性糸、１１…カップ土台部、１２…バック部、１３…腰脇部、１４…後身頃部、１５…胸部、１６…胴部、１７…リボン。
【図１】
0005050174.tif 000002
【図２】
0005050174.tif 000003
【図３】
0005050174.tif 000004
【図４】
0005050174.tif 000005
【図５】
0005050174.tif 000006
【図６】
0005050174.tif 000007
【図７】
0005050174.tif 000008
【図８】
0005050174.tif 000009
【図９】
0005050174.tif 000010
【図１０】
0005050174.tif 000011
【図１１】
0005050174.tif 000012
【図１２】
0005050174.tif 000013
【図１３】
0005050174.tif 000014
【図１４】
0005050174.tif 000015